(57)【要約】      （修正有）【課題】複数のライン側インターフェース部に跨がったクライアント信号のマッピングを可能にする。【解決手段】光伝送装置は複数のクライアント側Ｉ／Ｆ複数のクライアント側インターフェース部４１０−１〜４１０−ｋと複数のライン側Ｉ／Ｆ部４３０−１及び４３０−２とバックプレーン部４２０とを備える。ライン側Ｉ／Ｆは、バックプレーンを介してクライアント側Ｉ／ＦからＯＤＴＵ信号の情報を取得し、ＯＤＴＵ信号を複数の波長に跨るＯＴＵＣｎフレームに仮想的にマッピングし、ＯＤＴＵ信号を出力することをクライアント側Ｉ／Ｆに要求する仮想マップ算出部４３２と、要求に応じてクライアント側Ｉ／Ｆから出力されるＯＤＴＵ信号をマッピング結果に基づいてＯＴＵＣｎフレームにマッピングするマッピング部４３３と、マッピング部によりＯＤＴＵ信号がマッピングされたＯＴＵＣｎフレームを光変調して出力する送信部３３６とを備える。【選択図】図７
2016103761.tif 000002
【特許請求の範囲】
【請求項１】
クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部とを備える光伝送装置であって、
前記ライン側インターフェース部は、
前記バックプレーン部を介して前記クライアント側インターフェース部からＯＤＴＵ信号に関する情報を取得し、前記ＯＤＴＵ信号に関する情報に基づいてＯＤＴＵ信号を複数の波長に跨るＯＴＵＣｎフレームに仮想的にマッピングし、マッピング結果に基づいてクライアント信号を収容したＯＤＴＵ信号を出力することを前記クライアント側インターフェース部に要求する転送指示情報を生成する仮想マップ算出部と、
前記転送指示情報に応じて前記クライアント側インターフェース部から出力されるＯＤＴＵ信号を前記マッピング結果に基づいてＯＴＵＣｎフレームにマッピングするマッピング部と、
前記マッピング部によりＯＤＴＵ信号がマッピングされたＯＴＵＣｎフレームを光変調して出力する送信部と、
を備える
ことを特徴とする光伝送装置。
【請求項２】
請求項１に記載の光伝送装置において、
前記ライン側インターフェース部は、
他の光伝送装置から出力された光信号を光復調して得られたＯＴＵＣｎフレームを出力する光受信部と、
前記光受信部から出力されるＯＴＵＣｎフレームをデマッピングして抽出したＯＤＴＵ信号を前記クライアント側インターフェース部宛に前記バックプレーン部へ出力するデマッピング部と、
を更に備える
ことを特徴とする光伝送装置。
【請求項３】
クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部と、複数の前記ライン側インターフェース部間を接続するライン側インターフェース接続部とを備える光伝送装置であって、
前記ライン側インターフェース部は、
前記バックプレーン部を介して前記クライアント側インターフェース部からＯＤＴＵ信号及び当該ＯＤＴＵ信号に関する情報を取得し、ＯＤＴＵ信号を複数の波長に跨るＯＴＵＣｎフレームに収容する際の収容位置及びスタッフ位置を決定する仮想マップ算出部と、
前記仮想マップ算出部により決定された収容位置及びスタッフ位置に基づいて、前記バックプレーン部を介して前記クライアント側インターフェース部から取得したＯＤＴＵ信号をＯＴＵＣｎフレームにマッピングするマッピング部と、
前記マッピング部によりＯＤＴＵ信号がマッピングされたＯＴＵＣｎフレームを光変調して出力する送信部と、
を備え、
前記仮想マップ算出部は、
ＯＤＴＵ信号の伝送に対して特定の波長の光信号を用いる制約が設けられている場合に、当該制約を満たす光信号を送出する送信部を備える前記ライン側インターフェース部宛に当該ＯＤＴＵ信号を収容するＯＴＵＣｎフレームを前記ライン側インターフェース接続部に転送させる制御を行う
ことを特徴とする光伝送装置。
【請求項４】
クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部とを備える光伝送装置における光伝送方法であって、
前記ライン側インターフェース部が、前記バックプレーン部を介して前記クライアント側インターフェース部からＯＤＴＵ信号に関する情報を取得し、前記ＯＤＴＵ信号に関する情報に基づいてＯＤＴＵ信号を複数の波長に跨るＯＴＵＣｎフレームに仮想的にマッピングし、マッピング結果に基づいてクライアント信号を収容したＯＤＴＵ信号を出力することを前記クライアント側インターフェース部に要求する転送指示情報を生成する第１のステップと、
前記クライアント側インターフェース部が、前記転送指示情報に応じてＯＤＴＵ信号を前記ライン側インターフェース部へ出力する第２のステップと、
前記ライン側インターフェース部が、前記クライアント側インターフェース部から出力されるＯＤＴＵ信号を前記マッピング結果に基づいてＯＴＵＣｎフレームにマッピングする第３のステップと、
前記ライン側インターフェース部が、前記第３のステップにおいてＯＤＴＵ信号がマッピングされたＯＴＵＣｎフレームを光変調して出力する第４のステップと、
を有することを特徴とする光伝送方法。
【請求項５】
クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部と、複数の前記ライン側インターフェース部間を接続するライン側インターフェース接続部とを備える光伝送装置における光伝送方法であって、
前記ライン側インターフェース部が、前記バックプレーン部を介して前記クライアント側インターフェース部からＯＤＴＵ信号及び当該ＯＤＴＵ信号に関する情報を取得し、ＯＤＴＵ信号を複数の波長に跨るＯＴＵＣｎフレームに収容する際の収容位置及びスタッフ位置を決定する第１のステップと、
前記ライン側インターフェース部が、第１のステップにおいて決定された収容位置及びスタッフ位置に基づいて、前記バックプレーン部を介して前記クライアント側インターフェース部から取得したＯＤＴＵ信号をＯＴＵＣｎフレームにマッピングする第２のステップと、
前記ライン側インターフェース部が、前記第２のステップにおいてＯＤＴＵ信号がマッピングされたＯＴＵＣｎフレームを光変調して出力する第３のステップと、
前記ライン側インターフェース部が、ＯＤＴＵ信号の伝送に対して特定の波長の光信号を用いる制約が設けられている場合に、当該制約を満たす光信号を送出する送信部を備える前記ライン側インターフェース部宛に当該ＯＤＴＵ信号を収容するＯＴＵＣｎフレームを前記ライン側インターフェース接続部に転送させる制御を行う第４のステップと、
を有することを特徴とする光伝送方法。
【発明の詳細な説明】
【技術分野】
【０００１】
本発明は、光伝送装置及び光伝送方法に関する。
【背景技術】
【０００２】
大容量の広域光転送網であるＯＴＮ（Optical Transport Network）では、ＳＤＨ（Synchronous Digital Hierarchy）やイーサネット（登録商標）などの様々なクライアント信号を収容して転送する。近年では、クライアント信号のトラヒックの増加が顕著であり、それに伴いＯＴＮも高速化に対応するよう標準化が進められてきた（例えば、非特許文献１参照）。そして現在では、１００Ｇ超（Ｂ１００Ｇ、Ｇはギガビット毎秒）のＯＴＮ技術であるＯＴＵＣｎ（Ｃｎは１００Ｇ×ｎを表す。）が検討されている（例えば、非特許文献２参照）。ＯＴＵＣｎでは、１光チャネルの伝送容量が従来のＯＴＵよりも広帯域となる。しかし、光信号の送受信機に用いられる電子回路の動作速度の関係から、これまでのように１光チャネルの帯域においてシングルキャリア伝送を拡張して大容量化を図ることは困難である。そこで、ＯＴＵＣｎでは、１光チャネルの帯域において複数の光サブキャリアを用いたマルチキャリア伝送によって大容量化を実現することが検討されている。
【０００３】
図１１は、ＯＴＵ／ＯＴＵＣｎのフレーム構造を用いた光伝送装置９０の構成例を示すブロック図である。同図に示すように、光伝送装置９０は、複数のクライアント側インターフェース部３１０（３１０−１〜３１０−ｋ）とバックプレーン部３２０と２つのライン側インターフェース部９３０（９３０−１及び９３０−２）とを備える。複数のクライアント側インターフェース部３１０は、収容するクライアント信号の数に応じて設けられる。
【０００４】
クライアント側インターフェース部３１０それぞれは、外部の装置から受信するクライアント信号を含むＬＯ−ＯＤＵ（Lower Order Optical channel Data Unit）としてのＯＤＴＵのフレームを生成する。クライアント側インターフェース部３１０は、生成したＯＤＴＵフレームの信号（以下ＯＤＴＵ信号という。）を対応付けられたライン側インターフェース部９３０へバックプレーン部３２０を介して出力する。クライアント側インターフェース部３１０は、受信したクライアント信号をＯＤＴＵ信号におけるペイロードにマッピングし、ＯＤＴＵのＯＨ（オーバーヘッド）を付加することにより、ＯＤＴＵ信号を生成する。
【０００５】
また、クライアント側インターフェース部３１０それぞれは、バックプレーン部３２０を介してライン側インターフェース部９３０からＯＤＴＵ信号を入力する。クライアント側インターフェース部３１０は、バックプレーン部３２０から入力したＯＤＴＵ信号からクライアント信号を抽出する。クライアント側インターフェース部３１０は、抽出したクライアント信号を外部の装置へ送信する。
【０００６】
バックプレーン部３２０は、対応付けられているクライアント側インターフェース部３１０とライン側インターフェース部９３０との間を相互接続し、ＯＤＴＵ信号の受け渡しを行う。
【０００７】
ライン側インターフェース部９３０それぞれは、バックプレーン部３２０を介して入力するＯＤＴＵ信号からＯＤＵＣｎのフレームを生成する。ライン側インターフェース部９３０は、ＯＤＣＵｎフレームの電気信号に対して電気−光変換して得られた光信号を送信する。また、ライン側インターフェース部９３０は、受信した光信号に対して光−電気変換して得られたＯＤＵＣｎフレームからＯＤＴＵ信号を復元する。ライン側インターフェース部９３０は、復元したＯＤＴＵ信号を対応付けられたクライアント側インターフェース部３１０へバックプレーン部３２０を介して出力する。
【０００８】
ライン側インターフェース部９３０それぞれは、バックプレーン・インターフェース部（バックプレーンＩ／Ｆ部）３３１とマッピング部９３３と送信側オーバーヘッド・ＦＥＣ処理部（送信側ＯＨ−ＦＥＣ処理部）９３５と送信部３３６と受信部３３７と受信側オーバーヘッド・ＦＥＣ処理部（受信側ＯＨ−ＦＥＣ処理部）９３８とデマッピング部９４０とを備える。
【０００９】
バックプレーン・インターフェース部３３１は、バックプレーン部３２０を介してクライアント側インターフェース部３１０から入力するＯＤＴＵ信号をマッピング部９３３へ出力する。また、バックプレーン・インターフェース部３３１は、デマッピング部９４０から入力するＯＤＴＵ信号を、バックプレーン部３２０を介してクライアント側インターフェース部３１０へ出力する。
【００１０】
マッピング部９３３は、ＯＤＴＵ信号をＯＤＵＣｎフレームのペイロード領域にマッピングして送信側オーバーヘッド・ＦＥＣ処理部９３５へ出力する。送信側オーバーヘッド・ＦＥＣ処理部９３５は、マッピング部９３３から入力されるＯＤＵＣｎフレームにオーバーヘッド及びＦＥＣ（Forward Error Correction）を付加して送信部３３６へ出力する。送信部３３６は、送信側オーバーヘッド・ＦＥＣ処理部９３５から入力されるＯＤＵＣｎフレームを光変調して得られた光信号を送信する。
【００１１】
受信部３３７は、受信した光信号に対して光−電気変換して得られたＯＤＵＣｎの電気信号を受信側オーバーヘッド・ＦＥＣ処理部９３８へ出力する。受信側オーバーヘッド・ＦＥＣ処理部９３８は、受信部３３７から入力するＯＤＵＣｎフレームに付加されているＦＥＣを用いて誤り訂正復号をした後にＯＤＵＣｎフレームのペイロード領域を抽出する。デマッピング部９４０は、受信側オーバーヘッド・ＦＥＣ処理部９３８が抽出したペイロード領域のデータを入力し、当該データに対してデマッピングを行うことによりＯＤＴＵ信号を抽出する。デマッピング部９４０は、抽出したＯＤＴＵ信号を対応するクライアント側インターフェース部３１０へ、バックプレーン・インターフェース部３３１及びバックプレーン部３２０を介して出力する。
【００１２】
上述のように構成される光伝送装置９０では、ライン側インターフェース部９３０ごとにクライアント信号のＯＴＵＣｎフレームへのマッピング、オーバーヘッド処理、フレーム同期などの処理を行っているため、複数のライン側インターフェース部９３０に跨がって異なるサブキャリアの信号にクライアント信号をマッピングすることが困難である。例えば、ＧＭＰ（Generic Mapping Procedure；汎用マッピング手順）におけるスタッフ処理やレート処理などの動的な処理があるため、複数のライン側インターフェース部９３０で１つのＯＤＴＵ信号に対してＧＭＰマッピングを行うことが困難になっている。
【００１３】
このように、上述のような構成を有する光伝送装置９０でＯＴＵ／ＯＴＵＣｎのフレーム構造を用いた伝送を行う場合において、ライン側インターフェース部９３０あたりの帯域がＯＴＵＣｎフレームよりも小さいときには、以下の制約がある。
（１）１つのクライアント信号（ＯＴＤＵ信号）はライン側インターフェース部９３０当たりの帯域を超えることはできない。
（２）ライン側インターフェース部９３０が波長単位で分割して使用される場合、１つのＯＤＴＵ信号は、割り当てられた分割帯域を超えることはできない。
（３）送信に関しては１つのクライアント信号が１つのライン側インターフェース部９３０に収容されるように、トリビュータリスロットの配置・再配置を行う必要がある。
（４）受信に関しては１つのクライアント信号が複数のライン側インターフェース部９３０に収容された場合、クライアント側インターフェース部３１０でデマッピングを行う必要がある。
【００１４】
図１２は、光伝送装置９０におけるクライアント信号（ＯＤＴＵ信号）のＯＴＵＣｎフレームへのマッピング例を示す図である。同図に示す例では、４つのクライアント信号Ｓｉｇ９−ａ〜Ｓｉｇ９−ｄを２つのＯＴＵＣ２フレームにマッピングする場合が示されている。また、出力波長の制約から、異なるライン側インターフェース部９３０の２波長を用いることを仮定している。
【００１５】
クライアント信号それぞれは、バックプレーン部３２０を介してライン側インターフェース部９３０に入力される。同図に示す例では、クライアント信号Ｓｉｇ９−ａは、ライン側インターフェース部９３０−２の出力波長λ２のＯＴＵＣ２フレームに収容できるように、トリビュータリスロットに対して再配置されている。なお、再配置が行われる場合には、制御プレーンなどを介して、対向装置（受信側の光伝送装置９０）へ再配置結果を通知する必要がある。また、クライアント信号Ｓｉｇ９−ｃは、割り当てられた１波長帯域を超えるために、ＯＴＵＣ２フレームに収容することができない。この場合、クライアント信号Ｓｉｇ９−ｃの帯域を削減する必要がある。
【先行技術文献】
【非特許文献】
【００１６】
【非特許文献１】"Interfaces for the optical transport network", ITU-T G.709/Y.1331, February 2012
【非特許文献２】大原拓也、「ＯＴＮインタフェース技術および標準化動向」、２０１４年  電子情報通信学会総合大会  通信講演論文集２、ＢＩ−５−１、ＳＳ−４７−ＳＳ−４８、２０１４年３月
【発明の概要】
【発明が解決しようとする課題】
【００１７】
上述のように、複数のライン側インターフェース部に跨がってクライアント信号をマッピングできない場合には伝送における制約が生じることになる。
【００１８】
上記事情に鑑み、本発明は、複数のライン側インターフェース部に跨がったクライアント信号のマッピングを可能にする光伝送装置及び光伝送方法を提供することを目的としている。
【課題を解決するための手段】
【００１９】
本発明の一態様は、クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部とを備える光伝送装置であって、前記ライン側インターフェース部は、前記バックプレーン部を介して前記クライアント側インターフェース部からＯＤＴＵ信号に関する情報を取得し、前記ＯＤＴＵ信号に関する情報に基づいてＯＤＴＵ信号を複数の波長に跨るＯＴＵＣｎフレームに仮想的にマッピングし、マッピング結果に基づいてクライアント信号を収容したＯＤＴＵ信号を出力することを前記クライアント側インターフェース部に要求する転送指示情報を生成する仮想マップ算出部と、前記転送指示情報に応じて前記クライアント側インターフェース部から出力されるＯＤＴＵ信号を前記マッピング結果に基づいてＯＴＵＣｎフレームにマッピングするマッピング部と、前記マッピング部によりＯＤＴＵ信号がマッピングされたＯＴＵＣｎフレームを光変調して出力する送信部と、を備えることを特徴とする光伝送装置である。
【００２０】
また、本発明の一態様は、上記の光伝送装置において、前記ライン側インターフェース部は、他の光伝送装置から出力された光信号を光復調して得られたＯＴＵＣｎフレームを出力する光受信部と、前記光受信部から出力されるＯＴＵＣｎフレームをデマッピングして抽出したＯＤＴＵ信号を前記クライアント側インターフェース部宛に前記バックプレーン部へ出力するデマッピング部と、を更に備えることを特徴とする。
【００２１】
また、本発明の一態様は、クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部と、複数の前記ライン側インターフェース部間を接続するライン側インターフェース接続部とを備える光伝送装置であって、前記ライン側インターフェース部は、前記バックプレーン部を介して前記クライアント側インターフェース部からＯＤＴＵ信号及び当該ＯＤＴＵ信号に関する情報を取得し、ＯＤＴＵ信号を複数の波長に跨るＯＴＵＣｎフレームに収容する際の収容位置及びスタッフ位置を決定する仮想マップ算出部と、前記仮想マップ算出部により決定された収容位置及びスタッフ位置に基づいて、前記バックプレーン部を介して前記クライアント側インターフェース部から取得したＯＤＴＵ信号をＯＴＵＣｎフレームにマッピングするマッピング部と、前記マッピング部によりＯＤＴＵ信号がマッピングされたＯＴＵＣｎフレームを光変調して出力する送信部と、を備え、前記仮想マップ算出部は、ＯＤＴＵ信号の伝送に対して特定の波長の光信号を用いる制約が設けられている場合に、当該制約を満たす光信号を送出する送信部を備える前記ライン側インターフェース部宛に当該ＯＤＴＵ信号を収容するＯＴＵＣｎフレームを前記ライン側インターフェース接続部に転送させる制御を行うことを特徴とする光伝送装置である。
【００２２】
また、本発明の一態様は、クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部とを備える光伝送装置における光伝送方法であって、前記ライン側インターフェース部が、前記バックプレーン部を介して前記クライアント側インターフェース部からＯＤＴＵ信号に関する情報を取得し、前記ＯＤＴＵ信号に関する情報に基づいてＯＤＴＵ信号を複数の波長に跨るＯＴＵＣｎフレームに仮想的にマッピングし、マッピング結果に基づいてクライアント信号を収容したＯＤＴＵ信号を出力することを前記クライアント側インターフェース部に要求する転送指示情報を生成する第１のステップと、前記クライアント側インターフェース部が、前記転送指示情報に応じてＯＤＴＵ信号を前記ライン側インターフェース部へ出力する第２のステップと、前記ライン側インターフェース部が、前記クライアント側インターフェース部から出力されるＯＤＴＵ信号を前記マッピング結果に基づいてＯＴＵＣｎフレームにマッピングする第３のステップと、前記ライン側インターフェース部が、前記第３のステップにおいてＯＤＴＵ信号がマッピングされたＯＴＵＣｎフレームを光変調して出力する第４のステップと、を有することを特徴とする光伝送方法である。
【００２３】
また、本発明の一態様は、クライアント信号を収容したＯＤＴＵ信号を入出力する複数のクライアント側インターフェース部と、光信号に収容されたＯＴＵＣｎフレームを入出力する複数のライン側インターフェース部と、複数の前記クライアント側インターフェース部と複数の前記ライン側インターフェース部との間においてＯＤＴＵ信号の受け渡しを行うバックプレーン部と、複数の前記ライン側インターフェース部間を接続するライン側インターフェース接続部とを備える光伝送装置における光伝送方法であって、前記ライン側インターフェース部が、前記バックプレーン部を介して前記クライアント側インターフェース部からＯＤＴＵ信号及び当該ＯＤＴＵ信号に関する情報を取得し、ＯＤＴＵ信号を複数の波長に跨るＯＴＵＣｎフレームに収容する際の収容位置及びスタッフ位置を決定する第１のステップと、前記ライン側インターフェース部が、第１のステップにおいて決定された収容位置及びスタッフ位置に基づいて、前記バックプレーン部を介して前記クライアント側インターフェース部から取得したＯＤＴＵ信号をＯＴＵＣｎフレームにマッピングする第２のステップと、前記ライン側インターフェース部が、前記第２のステップにおいてＯＤＴＵ信号がマッピングされたＯＴＵＣｎフレームを光変調して出力する第３のステップと、前記ライン側インターフェース部が、ＯＤＴＵ信号の伝送に対して特定の波長の光信号を用いる制約が設けられている場合に、当該制約を満たす光信号を送出する送信部を備える前記ライン側インターフェース部宛に当該ＯＤＴＵ信号を収容するＯＴＵＣｎフレームを前記ライン側インターフェース接続部に転送させる制御を行う第４のステップと、を有することを特徴とする光伝送方法である。
【発明の効果】
【００２４】
本発明によれば、複数のライン側インターフェース部に跨がったクライアント信号のマッピングが可能になる。
【図面の簡単な説明】
【００２５】
【図１】本発明の実施形態を適用可能なフレーマ１００の機能ブロック図である。
【図２】ＯＴＵＣｎのフレーム構造を示す図である。
【図３】ＯＴＬＣｎ．ｎのフレーム構造を示す図である。
【図４】光信号の伝送に用いられる光チャネルを示す図である。
【図５】本発明に係る第１の実施形態における光伝送装置３０の構成例を示すブロック図である。
【図６】光伝送装置３０におけるマッピング及びＯＴＵＣｎフレーム配置変更での情報の流れを示す図である。
【図７】第２の実施形態における光伝送装置４０の構成例を示すブロック図である。
【図８】光伝送装置４０における仮想マッピング及び転送指示情報の生成処理での情報の流れを示す図である。
【図９】仮想マッピングの結果から得られるアドレス表の一例を示す図である。
【図１０】図８に示した仮想マッピング及び転送指示情報の生成処理の結果に基づいて、ライン側インターフェース部４３０で生成されるＯＴＵＣｎフレームの概要を示す図である。
【図１１】ＯＴＵ／ＯＴＵＣｎのフレーム構造を用いた光伝送装置９０の構成例を示すブロック図である。
【図１２】光伝送装置９０におけるクライアント信号（ＯＤＴＵ信号）のＯＴＵＣｎフレームへのマッピング例を示す図である。
【発明を実施するための形態】
【００２６】
以下、図面を参照して本発明の実施形態を説明する。図１は、本発明の実施形態を適用可能なＯＴＮフレーマ１００の機能ブロック図である。同図に示すＯＴＮフレーマ１００は、１００Ｇ超（Ｂ１００Ｇ、Ｇはギガビット毎秒）の伝送を行うためのＯＴＮ（Optical Transport Network）の規格であるＯＴＵＣｎ（Ｃｎは１００Ｇ×ｎを表す。ｎは２以上の整数。）により通信を行う。同図においては、ｎ＝４の場合、すなわち、ＯＴＮフレーマ１００がＯＴＵＣ４により通信を行う場合の例を示している。
【００２７】
ＯＴＮトランスポート技術では、様々な通信方式のクライアント信号を収容し、光伝送により転送する。ＯＴＮでは、固定フレーム構造を利用し、ＧｂＥ（ギガビット・イーサネット（登録商標））を収容できる最小単位のＯＤＵ０（ＯＤＵ：Optical Channel Data Unit）により、１．２５ＧのＴＳ（Tributary slot、タイムスロットともいう。）単位で（すなわち、その倍数により）クライアント信号を扱う。ＯＴＮは、ＳＤＨ（synchronous digital hierarchy）と同様のパス管理、ＯＡＭ（Operations, Administration, Maintenance）機能、プロテクション機能を提供する。
【００２８】
ＯＴＮフレーマ１００は、複数のクライアント信号が多重されたｎ×１００Ｇの１光チャネルの信号を分離し、ｎ個の１００Ｇのパラレル信号を生成する。これらのｎ個のパラレル信号は複数の光サブキャリアによりマルチキャリア伝送されるが、物理的には、１つのパラレル信号が１つの光サブキャリアにより伝送されてもよく、複数のパラレル信号が１つの光サブキャリアにより伝送されてもよい。マルチキャリア伝送とは、１チャネルの信号を複数の光サブキャリアを使ってパラレル伝送することにより、１チャネルを大容量化する通信方式である。マルチキャリア伝送では、対地（接続先）ごとにサブキャリアを高密度多重し、電気的に分離する。１つのパラレル信号が１つの光サブキャリアにより伝送される場合、その光サブキャリアの帯域は１００Ｇであり、２つのパラレル信号を１つの光サブキャリアにより伝送する場合、その光サブキャリアの帯域は２００Ｇである。光伝送には、４ＳＣ−ＤＰ−ＱＰＳＫ（4 subcarrier-Dual Polarization-Quadrature Phase Shift Keying）や、２ＳＣ−ＤＰ−１６ＱＡＭ（2 subcarrier-Dual Polarization-Quadrature Amplitude Modulation）などが用いられる。
【００２９】
図１に示すように、ＯＴＮフレーマ１００は、送信処理部１１０と受信処理部１５０とを備える。送信処理部１１０は、クライアント信号受信部１２０と多重処理部１３０とライン側送信処理部１４０とを備える。
【００３０】
クライアント信号受信部１２０は、受信部１２１とマッピング部１２２とＯＨ処理部１２３とを備える。受信部１２１は、クライアント信号を受信する。マッピング部１２２は、受信部１２１が受信した１クライアント信号をＬＯ−ＯＤＵ（Lower Order Optical Channel Data Unit）フレームのペイロードにマッピングする。ＯＨ処理部１２３は、マッピング部１２２がクライアント信号を設定したＬＯ−ＯＤＵフレームにＯＨ（オーバーヘッド）を付加する。ＯＨ処理部１２３は、ＬＯ−ＯＤＵフレームの電気パス信号を、ＯＤＵ−スイッチ（以下、「ＯＤＵ−ＳＷ」と記載）２１０に出力する。ＯＤＵ−ＳＷ２１０は、他のＯＴＮフレーマ１００とも接続されており、電気パス信号のパス交換を行う。
【００３１】
多重処理部１３０は、多重化部１３１とフレーミング部１３２とを備える。多重化部１３１は、ＯＤＵ−ＳＷ２１０から受信した電気パス信号をＬＯ−ＯＤＵフレームに設定する。多重処理部１３０は、ＬＯ−ＯＤＵフレームを一旦ＯＤＴＵ（Optical Channel Data Tributary Unit）フレームにマッピングした後、複数のＯＤＴＵフレームを時間多重してＨＯ−ＯＤＵ（Higher Order ODU）であるＯＤＵＣｎフレームを生成する。フレーミング部１３２は、多重処理部１３０が生成したＯＤＵＣｎフレームにＯＨとＦＥＣ（forward error correction：前方誤り訂正）を付加してＯＴＵＣｎフレームを生成する。フレーミング部１３２は、ＯＴＵＣｎフレームの信号をライン側送信処理部１４０に出力する。
【００３２】
ライン側送信処理部１４０は、インタリーブ部１４１と、ＯＨ処理部１４２−１〜１４２−ｎと、マルチレーン送信部１４３−１〜１４３−ｎとを備える。
インタリーブ部１４１は、多重処理部１３０からＯＴＵＣｎフレームの信号を受信し、受信したｎ×１００ＧのＯＴＵＣｎフレームの信号をバイトインタリーブして、ｎ個のＯＴＬＣｎ．ｎフレームの信号を生成する。ＯＴＬＣｎ．ｎフレームは、１００Ｇのパラレル信号のフレームである。ｉ個目のＯＴＬＣｎ．ｎフレームを、ＯＴＬＣｎ．ｎ＃ｉフレーム（ｉは１以上ｎ以下の整数）と記載する。インタリーブ部１４１は、生成したｎ個のＯＴＬＣｎ．ｎ＃ｉフレームをそれぞれＯＨ処理部１４２−ｉに出力する。
【００３３】
ＯＨ処理部１４２−１〜１４２−ｎは、インタリーブ部１４１から受信したＯＴＬＣｎ．ｎフレームにＯＨを設定する。ＯＨ処理部１４２−ｉは、ＯＨを設定したＯＴＬＣｎ．ｎ＃ｉフレームを、マルチレーン送信部１４３−ｉに出力する。
マルチレーン送信部１４３−１〜１４３−ｎは、ＯＨ処理部１４２−１〜１４２−ｎから受信したＯＴＬＣｎ．ｎフレームのパラレル信号を送信機２２０に出力する。例えば、マルチレーン送信部１４３−ｉは、４本の２８Ｇの電気配線を使用してパラレルにＯＴＬＣｎ．ｎ＃ｉフレームのパラレル信号を送信機２２０に出力する。各送信機２２０は、それぞれ異なる波長の光サブキャリアを使用する。送信機２２０は、受信したパラレル信号を電気信号から光信号に変換し、マルチキャリア伝送する。なお、複数のマルチレーン送信部１４３−ｉが１つの送信機２２０に接続されてもよい。ｊ個（ｊは２以上ｎ以下）のマルチレーン送信部１４３−ｉが１つの送信機２２０に接続される場合、その送信機２２０は、ｊ×１００Ｇの光サブキャリアによりｊ個のパラレル信号を伝送する。
【００３４】
受信処理部１５０は、ライン側受信処理部１６０と分離処理部１７０とクライアント信号送信部１８０とを備える。
【００３５】
ライン側受信処理部１６０は、マルチレーン受信部１６１−１〜１６１−ｎとＯＨ処理部１６２−１〜１６２−ｎとデインタリーブ部１６３とを備える。
マルチレーン受信部１６１−１〜１６１−ｎは、受信機２３０がマルチキャリア伝送により受信した光信号を電気信号として受信する。受信機２３０は、それぞれ異なる波長の光サブキャリアによる光信号を受信し、受信した光信号を電気信号に変換してマルチレーン受信部１６１−１〜１６１−ｎへ出力する。マルチレーン受信部１６１−ｉは、例えば４本の２８Ｇの電気配線を使用して受信機２３０からパラレルに受信した電気信号を、ＯＨ処理部１６２−ｉに出力する。
【００３６】
ＯＨ処理部１６２−１〜１６２−ｎは、受信した信号からＯＴＬＣｎ．ｎフレームのＯＨに設定されているＦＡＳ（frame alignment signal）やＭＦＡＳ（multi frame alignment signal）に基づいてフレームの先頭を検出する。ＯＨ処理部１６２−ｉは、先頭位置を検出することにより、遅延時間差を補償して受信信号からＯＴＬＣｎ．ｎ＃ｉフレームを抽出し、デインタリーブ部１６３に出力する。
デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームをデインタリーブし、１つのＯＴＵＣｎフレームを生成する。
【００３７】
分離処理部１７０は、デフレーミング部１７１及び逆多重化部１７２を備える。デフレーミング部１７１は、デインタリーブ部１６３が生成したＯＴＵＣｎフレームの信号をＦＥＣ復号し、復号したＯＴＵＣｎフレームからＬＯ−ＯＤＵフレームが時間多重されたＯＤＵＣｎフレームを抽出して逆多重化部１７２に出力する。逆多重化部１７２は、デフレーミング部１７１が抽出したＯＤＵＣｎフレームの信号から各クライアント信号が設定されたＬＯ−ＯＤＵフレームを抽出し、ＬＯ−ＯＤＵフレームの電気パス信号をＯＤＵ−ＳＷ２１０に出力する。
【００３８】
クライアント信号送信部１８０は、ＯＨ処理部１８１とデマッピング部１８２と送信部１８３とを備える。ＯＨ処理部１８１は、ＯＤＵ−ＳＷ２１０から電気パス信号を受信し、受信した電気パス信号からＬＯ−ＯＤＵフレームを復号する。ＯＨ処理部１８１は、ＬＯ−ＯＤＵフレームに対してＯＨに関する処理を行い、デマッピング部１８２に出力する。デマッピング部１８２は、ＯＨ処理部１８１からＬＯ−ＯＤＵフレームの電気パス信号を受信し、受信した電気パス信号からクライアント信号を抽出して送信部１８３に出力する。送信部１８３は、デマッピング部１８２が抽出したクライアント信号を送信する。
【００３９】
なお、クライアント信号受信部１２０と多重処理部１３０とは、ＯＤＵ−ＳＷ２１０を介さずに、ＬＯ−ＯＤＵフレームの電気パス信号を直接入出力してもよい。また、分離処理部１７０とクライアント信号送信部１８０とは、ＯＤＵ−ＳＷ２１０を介さずに、ＬＯ−ＯＤＵフレームの電気パス信号を直接入出力してもよい。
【００４０】
図２は、ＯＴＵＣｎのフレーム構造を示す図である。ＯＴＵＣｎは、ＯＤＵＣｎにＦＡＣｎＯＨ、ＯＴＵＣｎＯＨ、ＯＰＵＣｎＯＨ及びＯＴＵＣｎＦＥＣを付加して生成される。ＯＴＵＣｎのフレーム構造は、４行、４０８０×ｎ列で表記される。
【００４１】
ＯＴＵＣｎの（（７＋７＋２）×ｎ＋１）〜３８２４×ｎ列目のＯＰＵＣｎペイロード（Payload）には、クライアント信号がマッピングされる。ＯＴＵＣｎフレームの１〜（７＋７＋２）×ｎ列目には、ＯＨが設定される。ＯＨにおける１行目の１〜７×ｎ列目には、ＦＡＣｎＯＨが設定される。ＦＡＣｎＯＨは、フレーム同期に必要な情報を含む。ＯＨにおける（７×ｎ＋１）〜１４×ｎ列目にはＯＴＵＣｎＯＨが設定される。ＯＴＵＣｎＯＨは、光チャネルのセクション監視情報を収容する。ＯＨにおける２〜４行目の１〜１４×ｎ列目には、ＯＤＵＣｎＯＨが設定される。ＯＤＵＣｎＯＨは、光チャネルのパス管理運用情報を収容する（１４×ｎ＋１）〜１６×ｎ列目には、ＯＰＵＣｎＯＨが設定される。ＯＰＵＣｎＯＨは、クライアント信号のマッピング／デマッピングに必要な情報などを収容する。３８２４×ｎ＋１〜４０８０×ｎ列目には、ＯＰＵＣｎＦＥＣが設定される。ＯＰＵＣｎＦＥＣは、ＦＥＣ用のパリティチェックバイトを収容する。
【００４２】
図３は、ＯＴＬＣｎ．ｎのフレーム構造を示す図である。ＯＴＬＣｎ．ｎは、４行、４０８０列で表記される。ＯＴＬＣｎ．ｎ＃１〜ＯＴＬＣｎ．ｎ＃ｎは、バイトインタリーブによりＯＴＵＣｎフレームを分割して得られる。ＯＴＵＣｎのＯＰＵＣｎペイロードは、ＯＴＬＣｎ．ｎ＃ｉの１７〜３８２４列目のＯＰＵＣｎ．ｎ＃ｉペイロードにマッピングされる。
【００４３】
ＯＴＬＣｎ．ｎ＃ｉの１〜１６列目には、ＯＨが設定される。ＯＴＬＣｎ．ｎ＃ｉのＯＨは、ＯＴＵＣｎＯＨ等に基づいて設定される。１行目の１〜７列目には、ＦＡＬＣｎ．ｎ＃ｉＯＨが設定される。ＦＡＬＣｎ．ｎ＃ｉＯＨは、フレーム同期に必要な情報を含む。８〜１４列目には、ＯＴＬＣｎ．ｎ＃ｉＯＨが設定される。ＯＴＬＣｎ．ｎ＃ｉＯＨは、光チャネルのセクション監視情報を収容する。２〜４行目の１〜１４×ｎ列目には、ＯＤＬＣｎ．ｎ＃ｉＯＨが設定される．ＯＤＬＣｎ．ｎ＃ｉＯＨは、光チャネルのパス管理運用情報を収容する。１５〜１６列目には、ＯＰＬＣｎ．ｎ＃ｉＯＨが設定される。ＯＰＬＣｎ．ｎ＃ｉＯＨは、クライアント信号のマッピング／デマッピングに必要な情報などを収容する。３８２５〜４０８０列目には、ＯＴＵＣ＃ｉＦＥＣが設定される。ＯＵＴＣ＃ｉＦＥＣは、ＦＥＣ用のパリティチェックバイトを収容する。
【００４４】
図４は、光信号の伝送に用いられる光チャネルを示す図である。図４（ａ）は、４００Ｇの光信号を一つの光キャリアによりシリアル伝送する場合の光チャネルを示す図であり、図４（ｂ）は、４００Ｇの光信号を４つの光サブキャリアによりパラレル伝送（マルチキャリア伝送）する場合の光チャネルを示す図である。電子回路では動作速度の制約から、図４（ａ）に示すように、１光キャリアによりシリアル伝送することができる帯域の容量を、１００Ｇを超えて拡張し続けることは困難である。そこでＯＴＵＣｎでは、１００Ｇ超の帯域を複数の光サブキャリアによりパラレル伝送することにより、電子回路の動作速度の制約を受けずに広帯域伝送を実現する。このパラレル伝送には、偏波多重、多値変調などが用いられる。変調方式によって、光サブキャリアの帯域は異なる。
【００４５】
図４（ｂ）は、４００Ｇの１光チャネルを、１００Ｇの４光サブキャリアによりパラレル伝送した場合の例であり、図４（ｃ）は、４００Ｇの１光チャネルを、２００Ｇの２光サブキャリアによりパラレル伝送した場合の例である。また、ｎを変化させることにより、図４（ｄ）に示すように、１００Ｇ単位で伝送帯域を増加させていくことができるフレキシビリティを有する。
【００４６】
（第１の実施形態）
図５は、本発明に係る第１の実施形態における光伝送装置３０の構成例を示すブロック図である。同図に示すように、光伝送装置３０は、複数のクライアント側インターフェース部３１０（３１０−１〜３１０−ｋ）とバックプレーン部３２０と２つのライン側インターフェース部３３０（３３０−１及び３３０−２）と制御信号送信部３４１と制御信号受信部３４２とを備える。複数のクライアント側インターフェース部３１０は、収容するクライアント信号の数に応じて設けられる。光伝送装置３０において、図１１に示した光伝送装置９０が備える構成要素と同じ構成要素に対しては同じ符号を付して、重複する説明を省略する。なお、図５に示す構成例では、光伝送装置３０が２つのライン側インターフェース部３３０を備えるが、３つ以上のライン側インターフェース部３３０を備えてもよい。
【００４７】
光伝送装置３０において、クライアント側インターフェース部３１０は、図１におけるクライアント信号受信部１２０及びクライアント信号送信部１８０に相当する。バックプレーン部３２０は、図１におけるＯＤＵ−ＳＷ２１０に相当する。ライン側インターフェース部３３０−１及び３３０−２それぞれは、図１における多重処理部１３０、ライン側送信処理部１４０、送信機２２０、受信機２３０、ライン側受信処理部１６０及び分離処理部１７０に相当する。
【００４８】
ライン側インターフェース部３３０それぞれは、バックプレーン・インターフェース部３３１と仮想マップ算出部３３２とマッピング部３３３とライン側インターフェース接続部３３４と送信側オーバーヘッド・ＦＥＣ処理部３３５と送信部３３６と受信部３３７と受信側オーバーヘッド・ＦＥＣ処理部３３８とライン側インターフェース接続部３３９とデマッピング部３４０とを備える。なお、ライン側インターフェース接続部３３４は、２つのライン側インターフェース部３３０を接続しており、光伝送装置３０における一つの構成要素として存在する。同様に、ライン側インターフェース接続部３３９は、２つのライン側インターフェース部３３０を接続しており、光伝送装置３０における一つの構成要素として存在する。
【００４９】
仮想マップ算出部３３２は、バックプレーン部３２０及びバックプレーン・インターフェース部３３１を介して、クライアント側インターフェース部３１０から出力されるＯＤＴＵ信号、ＯＴＤＵ信号識別子、データ量、ペイロード種別、クライアント側時刻情報を取得する。仮想マップ算出部３３２は、クライアント側インターフェース部３１０から入力されるＯＴＤＵ信号におけるビットレートと、ライン側インターフェース部３３０におけるビットレートとの比率をリアルタイムに算出する。なお、仮想マップ算出部３３２は、クライアント側時刻情報を用いてクライアント側のビットレートの平均値を算出する。
【００５０】
仮想マップ算出部３３２は、クライアント側インターフェース部３１０及びライン側インターフェース部３３０それぞれのビットレートとその比率とに基づいて、ＩＴＵ−Ｔ  Ｇ．７０９で定められたＯＴＵＣｎフレームへのクライアントデータエンティティ数Ｃｍ及びΣＣｎＤを算出する。仮想マップ算出部３３２は、算出したクライアントデータエンティティ数Ｃｍ及びΣＣｎＤとＩＴＵ−Ｔ  Ｇ．７０９で定められたＧＭＰマッピングのアルゴリズムとを用いて、ＯＤＴＵ信号を複数の波長に跨がるＯＴＵＣｎフレームにおける収容位置とスタッフ位置とを決定し、ＯＤＴＵ信号のマッピングを仮想的に行う。
【００５１】
仮想マップ算出部３３２は、出力波長などの制約により、仮想的にマッピングしたＯＴＵＣｎフレームの一部又は全部を、他のライン側インターフェース部３３０で伝送する必要があるか否かを判定する。出力波長の制約は、例えばＯＤＴＵ信号（クライアント信号）の伝送に特定の波長を用いる必要がある場合などである。仮想マップ算出部３３２は、自身が備えられているライン側インターフェース部３３０の送信部３３６から出力される光信号の出力波長が制約を満たしていない場合、当該制約を有するＯＤＴＵ信号を収容したＯＴＵＣｎフレームを他のライン側インターフェース部３３０へ出力することを決定する。
【００５２】
仮想マップ算出部３３２は、算出したＯＴＵＣｎフレームのマッピングを示すマッピング情報をマッピング部３３３へ出力する。仮想マップ算出部３３２は、他のライン側インターフェース部３３０へＯＴＵＣｎフレームを出力する場合には、出力対象のＯＴＵＣｎフレームと当該ＯＴＵＣｎフレームの出力先のライン側インターフェース部３３０とを示す切替情報を制御信号送信部３４１へ出力する。
【００５３】
制御信号送信部３４１は、ライン側インターフェース部３３０−１及び３３０−２それぞれの仮想マップ算出部３３２から入力される切替情報に基づいて、ライン側インターフェース接続部３３４を制御する。また、制御信号送信部３４１は、ライン側インターフェース部３３０間におけるＯＴＵＣｎフレームの配置変更の有無と、配置変更が行われる場合にはその変更とを含む変更信号を対向装置（受信側の光伝送装置３０）へ送信する。
【００５４】
マッピング部３３３は、バックプレーン部３２０及びバックプレーン・インターフェース部３３１を介して、クライアント側インターフェース部３１０から出力されるＯＤＴＵ信号を取得する。マッピング部３３３は、仮想マップ算出部３３２から出力されるマッピング情報が示す収容位置とスタッフ位置とに基づいて、ＯＤＴＵ信号をＯＴＵＣｎフレームに収容するマッピングを行う。マッピング部３３３は、ＯＤＴＵ信号を収容したＯＴＵＣｎフレームをライン側インターフェース接続部３３４へ出力する。
【００５５】
ライン側インターフェース接続部３３４は、制御信号送信部３４１の制御を受けて、ライン側インターフェース部３３０−１及び３３０−２それぞれのマッピング部３３３から出力されるＯＴＵＣｎフレームを、ライン側インターフェース部３３０−１及び３３０−２それぞれの送信側オーバーヘッド・ＦＥＣ処理部３３５へ出力する。ライン側インターフェース部３３０間におけるＯＴＵＣｎフレームの配置変更が有る場合には、ライン側インターフェース接続部３３４は、配置変更の対象として指定されたＯＴＵＣｎフレームを指定された他のライン側インターフェース部３３０の送信側オーバーヘッド・ＦＥＣ処理部３３５へ出力し、配置変更の対象として指定されていないＯＴＵＣｎフレームを出力元と同じライン側インターフェース部３３０の送信側オーバーヘッド・ＦＥＣ処理部３３５へ出力する。ＯＴＵＣｎフレームの配置変更が無い場合には、ライン側インターフェース接続部３３４は、ＯＴＵＣｎフレームをそれぞれの出力元と同じライン側インターフェース部３３０の送信側オーバーヘッド・ＦＥＣ処理部３３５へ出力する。
【００５６】
送信側オーバーヘッド・ＦＥＣ処理部３３５は、ライン側インターフェース接続部３３４から出力されるＯＴＵＣｎフレームにオーバーヘッド及びＦＥＣを付加して送信部３３６へ出力する。送信部３３６は、送信側オーバーヘッド・ＦＥＣ処理部３３５から出力されるＯＴＵＣｎフレームの電気信号で光変調して得られた光信号を送信する。
【００５７】
受信部３３７は、対向装置（送信側の光伝送装置３０）から受信した光信号に対して光復調して得られたＯＴＵＣｎフレームの電気信号を受信側オーバーヘッド・ＦＥＣ処理部３３８へ出力する。受信側オーバーヘッド・ＦＥＣ処理部３３８は、受信部３３７から出力されるＯＴＵＣｎフレームに付加されているＦＥＣを用いて誤り訂正復号をした後にＯＴＵＣｎフレームのペイロード領域を抽出する。受信側オーバーヘッド・ＦＥＣ処理部３３８は、抽出したＯＴＵＣｎフレームのペイロード領域をライン側インターフェース接続部３３９へ出力する。
【００５８】
制御信号受信部３４２は、対向装置（送信側の光伝送装置３０）から変更信号を受信し、受信した変更信号に基づいてライン側インターフェース接続部３３９を制御する。ライン側インターフェース接続部３３９は、制御信号受信部３４２の制御を受けて、ライン側インターフェース部３３０−１及び３３０−２それぞれの受信側オーバーヘッド・ＦＥＣ処理部３３８から出力されるＯＴＵＣｎフレームのペイロード領域を、ライン側インターフェース部３３０−１及び３３０−２それぞれのデマッピング部３４０へ出力する。
【００５９】
ライン側インターフェース部３３０間におけるＯＴＵＣｎフレームの配置変更が有る場合には、ライン側インターフェース接続部３３９は、配置変更対象として指定されたＯＴＵＣｎフレームを指定された他のライン側インターフェース部３３０のデマッピング部３４０へ出力し、配置変更の対象として指定されていないＯＴＵＣｎフレームを出力元と同じライン側インターフェース部３３０のデマッピング部３４０へ出力する。ＯＴＵＣｎフレームの配置変更が無い場合には、ライン側インターフェース接続部３３９は、ＯＴＵＣｎフレームをそれぞれの出力元と同じライン側インターフェース部３３０のデマッピング部３４０へ出力する。
【００６０】
デマッピング部３４０は、ライン側インターフェース接続部３３９から入力されるＯＴＵＣｎフレームのペイロード領域に割り当てられたＯＤＴＵ信号を抽出する。デマッピング部３４０は、抽出したＯＤＴＵ信号を当該ＯＤＴＵ信号に対応するクライアント側インターフェース部３１０宛の信号としてバックプレーン・インターフェース部３３１へ出力する。デマッピング部３４０から出力される信号は、バックプレーン・インターフェース部３３１及びバックプレーン部３２０を介して、宛先のクライアント側インターフェース部３１０へ伝送される。
【００６１】
図６は、光伝送装置３０におけるマッピング及びＯＴＵＣｎフレーム配置変更での情報の流れを示す図である。同図における例では、光伝送装置３０が、４つのクライアント側インターフェース部３１０−１〜３１０−４と２つのライン側インターフェース部３３０−１及び３３０−２とを備える場合を示している。４つのクライアント側インターフェース部３１０−１〜３１０−４それぞれがＯＤＴＵ信号Ｓｉｇ１〜Ｓｉｇ４をバックプレーン部３２０へ出力し、ＯＤＴＵ信号Ｓｉｇ１及びＳｉｇ２がライン側インターフェース部３３０−１へ入力され、ＯＤＴＵ信号Ｓｉｇ３及びＳｉｇ４がライン側インターフェース部３３０−２へ入力されている。また、ライン側インターフェース部３３０−１及び３３０−２それぞれが２つの出力波長で２つのＯＴＵＣ２フレームを送信する。
【００６２】
ライン側インターフェース部３３０−１では、仮想マップ算出部３３２が、入力されるＯＤＴＵ信号Ｓｉｇ１及びＳｉｇ２のデータ量や、クライアント側とライン側とにおけるビットレートの比率などに基づいて、ＯＤＴＵ信号Ｓｉｇ１及びＳｉｇ２を２つのＯＴＵＣｎフレームに収容する場合の各信号の収容位置とスタッフ位置とを決定する仮想マッピングを行う。また、仮想マップ算出部３３２は、出力波長の制約に基づいて、ＯＤＴＵ信号Ｓｉｇ１の一部のみを含むＯＴＵＣ２フレームをライン側インターフェース部３３０−２へ出力することを決定する。マッピング部３３３は、仮想マップ算出部３３２による仮想マッピング結果に基づいて、ＯＤＴＵ信号Ｓｉｇ１及びＳｉｇ２を２つのＯＴＵＣ２フレームに収容してライン側インターフェース接続部３３４へ出力する。
【００６３】
ライン側インターフェース部３３０−２では、仮想マップ算出部３３２が、入力されるＯＤＴＵ信号Ｓｉｇ３及びＳｉｇ４のデータ量や、クライアント側とライン側とにおけるビットレートの比率などに基づいて、ＯＤＴＵ信号Ｓｉｇ３及びＳｉｇ４を２つのＯＴＵＣ２フレームに収容する場合の各信号の収容位置とスタッフ位置とを決定する仮想マッピングを行う。また、仮想マップ算出部３３２は、出力波長の制約に基づいて、ＯＤＴＵ信号Ｓｉｇ３の一部のみを含むＯＴＵＣ２フレームをライン側インターフェース部３３０−１へ出力することを決定する。マッピング部３３３は、仮想マップ算出部３３２による仮想マッピング結果に基づいて、ＯＤＴＵ信号Ｓｉｇ３及びＳｉｇ４を２つのＯＴＵＣ２フレームに収容してライン側インターフェース接続部３３４へ出力する。
【００６４】
ライン側インターフェース接続部３３４は、ライン側インターフェース部３３０−１及び３３０−２の仮想マップ算出部３３２による配置変更の決定に基づいて、ＯＤＴＵ信号Ｓｉｇ１の一部のみを含むＯＴＵＣ２フレームとＯＤＴＵ信号Ｓｉｇ３の一部のみを含むＯＴＵＣ２フレームとを他のライン側インターフェース部３３０へ出力する交換を行う。ＯＤＴＵ信号Ｓｉｇ２及びＳｉｇ１の一部を含むＯＴＵＣ２フレームとＯＤＴＵ信号Ｓｉｇ３の一部のみを含むＯＴＵＣ２フレームとが、ライン側インターフェース部３３０−１の送信側オーバーヘッド・ＦＥＣ処理部３３５に入力される。ＯＤＴＵ信号Ｓｉｇ１の一部のみを含むＯＴＵＣ２フレームと、ＯＤＴＵ信号Ｓｉｇ３の一部及びＳｉｇ４を含むＯＴＵＣ２フレームとが、ライン側インターフェース部３３０−２の送信側オーバーヘッド・ＦＥＣ処理部３３５に入力される。
【００６５】
ライン側インターフェース部３３０−１の送信側オーバーヘッド・ＦＥＣ処理部３３５に入力された２つのＯＴＵＣ２フレームと、ライン側インターフェース部３３０−２の送信側オーバーヘッド・ＦＥＣ処理部３３５に入力された２つのＯＴＵＣ２フレームとは、１００Ｇｂｉｔ／ｓごとに変調され４波の光信号で出力される。なお、受信に関しては、上記の送信に関する説明と逆の手順にて４波の光信号から４つのＯＤＵ信号Ｓｉｇ１〜Ｓｉｇ４が復調復号されてクライアント側インターフェース部３１０−１〜３１０−４へ出力される。受信側オーバーヘッド・ＦＥＣ処理部３３８においては、４波の光信号間における遅延差を吸収するデスキュー処理が行われる。
【００６６】
以上のように、第１の実施形態の光伝送装置３０によれば、ＯＴＤＵ信号が収容されたＯＴＵＣｎフレームのライン側インターフェース部３３０間における入れ替えを、ライン側インターフェース接続部３３４及び３３９を用いて行うことにより、ライン側インターフェース部３３０を跨がってＯＴＤＵ信号（又はクライアント信号）をＯＴＵＣｎフレームに収容することができる。
【００６７】
（第２の実施形態）
図７は、第２の実施形態における光伝送装置４０の構成例を示すブロック図である。同図に示すように、光伝送装置４０は、複数のクライアント側インターフェース部４１０（４１０−１〜４１０−ｋ）とバックプレーン部３２０と２つのライン側インターフェース部４３０（４３０−１及び４３０−２）とを備える。クライアント側インターフェース部４１０は、収容するクライアント信号の数に応じて設けられる。光伝送装置４０において、図１に示した光伝送装置３０又は図９に示した光伝送装置９０が備える構成要素と同じ構成要素に対しては同じ符号を付して、重複する説明を省略する。なお、図７に示す構成例では、光伝送装置４０が２つのライン側インターフェース部４３０を備えるが、３つ以上のライン側インターフェース部４３０を備えてもよい。
【００６８】
光伝送装置４０において、クライアント側インターフェース部４１０は、図１におけるクライアント信号受信部１２０及びクライアント信号送信部１８０に相当する。バックプレーン部３２０は、図１におけるＯＤＵ−ＳＷ２１０に相当する。ライン側インターフェース部４３０−１及び４３０−２それぞれは、図１における多重処理部１３０、ライン側送信処理部１４０、送信機２２０、受信機２３０、ライン側受信処理部１６０及び分離処理部１７０に相当する。
【００６９】
クライアント側インターフェース部４１０それぞれは、外部の装置からクライアント信号を受信し、受信したクライアント信号を含むＬＯ−ＯＤＵとしてのＯＤＴＵ信号を生成する。クライアント側インターフェース部４１０は、転送指示情報において指定されたデータ容量分のクライアント信号をＯＤＴＵ信号のペイロードにマッピングしＯＤＴＵのＯＨを付加することにより、ＯＤＴＵ信号を生成する。クライアント側インターフェース部４１０は、転送指示情報において指定されたライン側インターフェース部４３０宛のＯＤＴＵ信号をバックプレーン部４２０へ出力する。クライアント側インターフェース部４１０は、バックプレーン部４２０を介して、ライン側インターフェース部４３０から転送指示情報を取得する。
【００７０】
また、クライアント側インターフェース部４１０それぞれは、バックプレーン部４２０を介してライン側インターフェース部４３０からＯＤＴＵ信号を入力する。クライアント側インターフェース部４１０は、入力したＯＤＴＵ信号からクライアント信号を抽出し、抽出したクライアント信号を外部の装置へ出力する。
【００７１】
バックプレーン部４２０は、複数のクライアント側インターフェース部４１０と２つのライン側インターフェース部４３０との間を相互接続し、ＯＤＴＵ信号及び転送指示情報の受け渡しを行う。
【００７２】
ライン側インターフェース部４３０それぞれは、バックプレーン部４２０を介して入力するＯＤＴＵ信号の情報から転送指示情報を生成し、生成した転送指示情報をバックプレーン部４２０を介してクライアント側インターフェース部４１０へ転送指示情報を出力する。また、ライン側インターフェース部４３０は、バックプレーン部４２０を介して入力するＯＤＴＵ信号からＯＤＵＣｎのフレームを生成する。ライン側インターフェース部４３０は、ＯＤＵＣｎフレームの電気信号に対して電気−光変換して得られた光信号を送信する。また、ライン側インターフェース部４３０は、受信した光信号に対して光−電気変換して得られたＯＤＵＣｎフレームの電気信号からＯＤＴＵ信号を復元する。ライン側インターフェース部４３０は、復元したＯＤＴＵ信号を対応付けられたクライアント側インターフェース部４１０へバックプレーン部４２０を介して出力する。
【００７３】
ライン側インターフェース部４３０それぞれは、バックプレーン・インターフェース部４３１と仮想マップ算出部４３２とマッピング部４３３と送信側オーバーヘッド・ＦＥＣ処理部（送信側ＯＨ−ＦＥＣ処理部）４３５と送信部３３６と受信部３３７と受信側オーバーヘッド・ＦＥＣ処理部（受信側ＯＨ−ＦＥＣ処理部）４３８とデマッピング部４４０とを備える。
【００７４】
バックプレーン・インターフェース部４３１は、バックプレーン部４２０を介してクライアント側インターフェース部４１０から入力するＯＤＴＵ信号に関する情報を仮想マップ算出部４３２へ出力する。ＯＤＴＵ信号に関する情報には、ＯＤＴＵ信号識別子、データ量、クライアント側インターフェース部４１０におけるＯＤＴＵ信号が記憶されているアドレス、ペイロード種別、クライアント側時刻情報などが含まれる。バックプレーン・インターフェース部４３１は、仮想マップ算出部４３２から入力する転送指示情報をクライアント側インターフェース部４１０それぞれへバックプレーン部４２０を介して出力する。
【００７５】
また、バックプレーン・インターフェース部４３１は、バックプレーン部４２０を介してクライアント側インターフェース部４１０から入力するＯＤＴＵ信号をマッピング部４３３へ出力する。また、バックプレーン・インターフェース部４３１は、デマッピング部４４０から入力するＯＤＴＵ信号を当該ＯＤＴＵ信号の宛先に指定されているクライアント側インターフェース部４１０宛の信号としてバックプレーン部４２０へ出力する。
【００７６】
仮想マップ算出部４３２は、バックプレーン・インターフェース部４３１を介して入力するＯＤＴＵ信号に関する情報に基づいて仮想マッピングを行う。仮想マップ算出部４３２は、入力する情報に基づいて、クライアント側インターフェース部４１０及びライン側インターフェース部４３０それぞれのビットレートとその比率とを算出する。仮想マップ算出部４３２は、算出したビットレート及び比率と入力した情報とを用いて、ＩＴＵ−Ｔ  Ｇ．７０９で定められたＯＴＵＣｎフレームへのクライアントデータエンティティ数Ｃｍ及びΣＣｎＤを算出する。仮想マップ算出部４３２は、算出したクライアントデータエンティティ数Ｃｍ及びΣＣｎＤとＩＴＵ−Ｔ  Ｇ．７０９で定められたＧＭＰマッピングのアルゴリズムにより、ライン側インターフェース部４３０−１及び４３０−２へ入力されるＯＤＴＵ信号のＧＭＰマッピングイメージを生成する。すなわち、仮想マップ算出部４３２は、ＯＤＴＵ信号を複数の波長に跨がるＯＴＵＣｎフレームに仮想的にマッピングする。
【００７７】
ＩＴＵ−Ｔ  Ｇ．７０９で定められるＧＭＰマッピングのアルゴリズムにより、ＯＴＵＣｎフレームのペイロード領域が複数の出力波長に跨がっている場合においても、ＯＤＴＵ信号のトリビュータリスロット（又はタイムスロット）への収容順序が定まれば、ＯＤＴＵ信号のＯＴＵＣｎフレームにおける収容位置とスタッフ位置とが一意に決定する。また、各出力波長におけるトリビュータリスロットの収容順序と、クライアントデータエンティティＣｍ及びΣＣｎＤとを用いることにより、出力波長ごとに独立したＧＭＰマッピングが可能である。
【００７８】
したがって、ＯＴＵＣｎフレームを送信するライン側インターフェース部４３０ごとに、ライン側インターフェース部４３０の識別子と収容するＯＤＴＵ信号のアドレスとをＧＭＰマッピングイメージから抽出し、クライアント側インターフェース部４１０に対してＧＭＰマッピングイメージに合わせてクライアント信号をライン側インターフェース部４３０へ出力させることにより、クライアント信号を複数の出力波長に跨がるＯＴＵＣｎフレームに収容して送信することができる。
【００７９】
ライン側インターフェース部４３０において、受信したＯＤＴＵ信号とクライアントデータエンティティ数Ｃｍ及びΣＣｎＤとトリビュータリスロットの収容順序から、出力するＯＴＵＣｎフレームを直接生成することが可能になるため、ライン側インターフェース部４３０間におけるＯＴＵＣｎフレームの転送を不要にすることができる。
【００８０】
仮想マップ算出部４３２は、生成したＧＭＰマッピングイメージと送信部３３６の出力波長とに基づいて転送指示情報を生成し、生成した転送指示情報をバックプレーン・インターフェース部４３１及びバックプレーン部４２０を介してクライアント側インターフェース部４１０へ出力する。転送指示情報には、ライン側インターフェース部４３０の識別子と、当該識別子のライン側インターフェース部４３０へ出力するクライアント信号に対応するＯＤＴＵ信号のアドレス表とが含まれる。
【００８１】
マッピング部４３３は、バックプレーン部４２０及びバックプレーン・インターフェース部４３１を介して、クライアント側インターフェース部４１０から出力されるＯＤＴＵ信号を取得する。マッピング部４３３は、仮想マップ算出部３３２において生成されたＧＭＰマッピングイメージに基づいて、ＯＤＴＵ信号をＯＴＵＣｎフレームに収容するマッピングを行う。マッピング部４３３は、ＯＤＴＵ信号を収容したＯＴＵＣｎフレームを送信側オーバーヘッド・ＦＥＣ処理部４３５へ出力する。送信側オーバーヘッド・ＦＥＣ処理部４３５は、マッピング部４３３から入力するＯＴＵＣｎフレームにオーバーヘッド及びＦＥＣを付加して送信部３３６へ出力する。
【００８２】
受信側オーバーヘッド・ＦＥＣ処理部４３８は、受信部３３７から出力されるＯＴＵＣｎフレームに付加されているＦＥＣを用いて誤り訂正復号をした後にＯＴＵＣｎフレームのペイロード領域を抽出する。受信側オーバーヘッド・ＦＥＣ処理部４３８は、抽出したＯＴＵＣｎフレームのペイロード領域をデマッピング部４４０へ出力する。
【００８３】
デマッピング部４４０は、受信側オーバーヘッド・ＦＥＣ処理部４３８から出力されるＯＴＵＣｎフレームのペイロード領域に割り当てられたＯＤＴＵ信号を抽出する。デマッピング部４４０は、抽出したＯＤＴＵ信号を当該ＯＤＴＵ信号に対応するクライアント側インターフェース部４１０宛の信号としてバックプレーン・インターフェース部４３１へ出力する。デマッピング部４４０から出力される信号は、バックプレーン・インターフェース部４３１及びバックプレーン部４２０を介して、宛先のクライアント側インターフェース部４１０へ伝送される。
【００８４】
図８は、光伝送装置４０における仮想マッピング及び転送指示情報の生成処理での情報の流れを示す図である。同図における例では、光伝送装置４０が、４つのクライアント側インターフェース部４１０−１〜４１０−４と２つのライン側インターフェース部４３０−１及び４３０−２とを備える場合を示している。ライン側インターフェース部４３０−１及び４３０−２それぞれは、２つの異なる出力波長の光信号を送受信する。４つのクライアント側インターフェース部４１０−１〜４１０−４は、それぞれがＯＤＴＵ信号Ｓｉｇ１〜Ｓｉｇ４に関する信号をバックプレーン部４２０へ出力する。
【００８５】
ライン側インターフェース部４３０−１及び４３０−２では、仮想マップ算出部４３２が、クライアント側インターフェース部４１０それぞれから出力されるＯＤＴＵ信号に関する情報に基づいて、ＯＤＴＵ信号Ｓｉｇ１〜Ｓｉｇ４をＯＴＵＣｎフレームのペイロード領域に仮想マッピングする。仮想マッピングの結果、ＯＤＴＵ信号Ｓｉｇ１は、２つのＯＴＵＣｎフレームに跨がって配置されることになる。また、ＯＤＴＵ信号Ｓｉｇ３も、２つのＯＴＵＣｎフレームに跨がって配置されることになる。
【００８６】
図９は、仮想マッピングの結果から得られるアドレス表の一例を示す図である。同図に示すように、仮想マッピングの結果として、クライアント側インターフェース部４１０−１から出力されるＯＤＴＵ信号Ｓｉｇ２は、ＯＴＵＣｎフレーム５０１のトリビュータリスロット５２０に収容される。クライアント側インターフェース部４１０−２から出力されるＯＤＴＵ信号Ｓｉｇ１は、ＯＴＵＣｎフレーム５０１及び５０２に跨がったトリビュータリスロット５１０に収容される。
【００８７】
出力波長の制約などにより、ＯＴＵＣｎフレーム５０１がライン側インターフェース部４３０−１に出力され、ＯＴＵＣｎフレーム５０２がライン側インターフェース部４３０−２に出力されることが決定されると、トリビュータリスロット５２０のスロット領域５２１とトリビュータリスロット５１０のスロット領域５１１とにおけるデータをライン側インターフェース部４３０−１へ出力する転送指示情報が仮想マップ算出部４３２により生成される。また、トリビュータリスロット５１０のスロット領域５１２及び５１３におけるデータをライン側インターフェース部４３０−２へ出力する転送指示情報が仮想マップ算出部４３２により生成される。
【００８８】
図９に示すように、アドレス表は、「クライアント側Ｉ／Ｆ」、「ライン側Ｉ／Ｆ」、「トリビュータリスロット領域」、「トリビュータリスロット収容順序」及び「クライアントバッファアドレス」の項目を有している。「クライアント側Ｉ／Ｆ」は対応するクライアント側インターフェース部４１０を示し、「ライン側Ｉ／Ｆ」は対応するライン側インターフェース部４３０を示している。「トリビュータリスロット領域」は、クライアント側インターフェース部４１０からライン側インターフェース部４３０へ出力されるＯＤＴＵ信号が収容されるトリビュータリスロットを示す。「トリビュータリスロット収容順序」は、ＯＤＴＵ信号をトリビュータリスロットへ収容する際の順序であり、外部からの設定・制御情報により定められる。「クライアントバッファアドレス」は、対応するトリビュータリスロット領域に収容されるデータが、クライアント側インターフェース部４１０が有するバッファにおいて記憶されているアドレスである。
【００８９】
仮想マップ算出部４３２は、マッピング部４３３においてＯＤＴＵ信号をＯＴＵＣｎフレームに収容する実際のマッピングを行う前に仮想的なＧＭＰマッピングを行い、ＧＭＰマッピング結果に基づいたアドレス表を生成する。仮想マップ算出部４３２は、生成したアドレス表に含まれるクライアント側インターフェース部４１０それぞれに対して転送指示情報を出力する。図９に示した例では、クライアント側インターフェース部４１０−１に対して、バッファアドレス「０ｘ０００−０ｘ０ｆｆ」に記憶されているデータをライン側インターフェース部４３０−２へＯＤＴＵ信号として出力し、次に、バッファアドレス「０ｘ１００−０ｘ１ｆｆ」に記憶されているデータをライン側インターフェース部４３０−１へＯＤＴＵ信号として出力し、続いて、バッファアドレス「０ｘ２００−０ｘ２ｆｆ」に記憶されているデータをライン側インターフェース部４３０−２へＯＤＴＵ信号として出力することを指示する転送指示情報が出力される。
【００９０】
図１０は、図８に示した仮想マッピング及び転送指示情報の生成処理の結果に基づいて、ライン側インターフェース部４３０で生成されるＯＴＵＣｎフレームの概要を示す図である。クライアント側インターフェース部４１０−１〜４１０−４それぞれは、仮想マップ算出部４３２から出力される転送指示情報に基づいて、クライアント信号を収容したＯＴＤＵ信号をライン側インターフェース部４３０−１及び４３０−２へ出力する。
【００９１】
図１０に示すように、クライアント側インターフェース部４１０−１は、クライアント信号を２つのＯＴＤＵ信号Ｓｉｇ１ａ及びＳｉｇ１ｂに分割し、ＯＴＤＵ信号Ｓｉｇ１ａをライン側インターフェース部４３０−１へ出力し、ＯＤＴＵ信号Ｓｉｇ１ｂをライン側インターフェース部４３０−２へ出力する。クライアント側インターフェース部４１０−２は、クライアント信号を収容したＯＤＴＵ信号Ｓｉｇ２をライン側インターフェース部４３０−１へ出力する。クライアント側インターフェース部４１０−３は、クライアント信号を２つのＯＤＴＵ信号Ｓｉｇ３ａ及びＳｉｇ３ｂに分割し、ＯＤＴＵ信号Ｓｉｇ３ａをライン側インターフェース部４３０−１へ出力し、ＯＤＴＵ信号Ｓｉｇ３ｂをライン側インターフェース部４３０−２へ出力する。クライアント側インターフェース部４１０−４は、クライアント信号を収容したＯＤＴＵ信号Ｓｉｇ４をライン側インターフェース部４３０−２へ出力する。
【００９２】
ライン側インターフェース部４３０−１は、ＯＤＴＵ信号Ｓｉｇ２及びＳｉｇ１ａを収容したＯＴＵＣｎフレームと、ＯＤＴＵ信号Ｓｉｇ３を収容したＯＴＵＣｎフレームとを生成し、生成したＯＴＵＣｎフレームそれぞれを出力波長λ１及びλ３の光信号で送信する。また、ライン側インターフェース部４３０−２は、ＯＤＴＵ信号Ｓｉｇ１ｂを収容したＯＴＵＣｎフレームと、ＯＤＴＵ信号Ｓｉｇ３ｂ及びＳｉｇ４を収容したＯＴＵＣｎフレームとを生成し、生成したＯＴＵＣｎフレームそれぞれを出力波長λ２及びλ４の光信号で送信する。なお、受信における処理は、上述の送信における処理と逆の処理になる。
【００９３】
以上のように、第２の実施形態における光伝送装置４０によれば、仮想マップ算出部４３２が、クライアント側インターフェース部４１０それぞれから伝送対象のＯＤＴＵ信号に関する情報を取得し、仮想的にＧＭＰマッピングを行う。仮想マップ算出部４３２は、ＧＭＰマッピングの結果と、ライン側インターフェース部４３０に対する制約（例えば、出力波長に対する制限など）とに基づいて、ＯＴＤＵ信号のＯＴＵＣｎフレームへの収容の割り当てを決定してアドレス表を作成し、転送指示情報をクライアント側インターフェース部４１０それぞれへ出力する。クライアント側インターフェース部４１０それぞれは、転送指示情報に基づいて、クライアント信号を収容したＯＴＤＵ信号をライン側インターフェース部４３０へ出力する。このような動作により、ライン側インターフェース部４３０を跨がったクライアント信号のＯＴＵＣｎフレームへの収容を、クライアント側インターフェース部４１０によるＯＴＤＵ信号の振り分けと、バックプレーン部４２０におけるＯＴＤＵ信号の分配とにより実現することができる。
【００９４】
第１の実施形態における光伝送装置３０では、ライン側インターフェース部４３０間でＯＴＵＣｎフレームを入れ替えている。ライン側インターフェース部４３０におけるＯＴＵＣｎフレームの入れ替えは、ライン側インターフェース部４３０の入出力帯域とほぼ同じ帯域を必要とするため、ライン側インターフェース接続部３３４及び３３９における処理は当該入出力帯域の２倍の帯域が要求される。高速で動作するライン側インターフェース部４３０において入出力帯域の２倍の帯域を処理することは困難であるため、ライン側インターフェース接続部３３４及び３３９における帯域による制限を受けてしまい、ライン側インターフェース部４３０を跨がったクライアント信号のＯＴＵＣｎフレームへの収容が困難になることがある。一方、光伝送装置４０では、ライン側インターフェース部４３０間でＯＴＵＣｎフレームを入れ替える必要がないので、前述のような制約を受けないため、ライン側インターフェース部４３０を跨がったクライアント信号のＯＴＵＣｎフレームへの収容を容易に行うことが可能である。
【００９５】
なお、第２の実施形態の光伝送装置４０において、仮想マップ算出部４３２が算出したＧＭＰマッピング結果又は転送指示情報を、光伝送装置４０の対向装置（受信側の光伝送装置４０）へ制御プレーン又はＯＴＵＣｎフレームのオーバーヘッドを用いて通知してもよい。通知されたＧＭＰマッピング結果又は転送指示情報は、デマッピング部４４０において抽出されたＯＤＴＵ信号の出力先のクライアント側インターフェース部４１０を特定するために用いられる。また、光伝送装置４０は、光伝送装置３０と同様に制御信号送信部及び制御信号受信部を備え、制御信号送信部及び制御信号受信部が制御プレーン又はＯＴＵＣｎフレームの送受信を行うようにしてもよい。
【００９６】
なお、各実施形態における光伝送装置において、クライアントデータエンティティ数Ｃｍ及びΣＣｎＤ、トリビュータリスロットの収容順序は、転送指示情報やＯＴＤＵ信号に含まれていてもよい。
また、各実施形態において、光伝送装置が２つのライン側インターフェース部を備える構成を説明したが、光伝送装置は３つ以上のライン側インターフェース部を備える構成であってもよい。
【００９７】
上述した実施形態における光伝送装置をコンピュータで実現するようにしてもよい。その場合、光伝送装置が有する構成要素それぞれを実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した構成要素の一部を実現するためのものであってもよく、更に前述した構成要素をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００９８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００９９】
複数のライン側インターフェース部に跨がったクライアント信号のマッピングが不可欠な用途にも適用できる。
【符号の説明】
【０１００】
３０，４０，９０…光伝送装置
１００…フレーマ
１１０…送信処理部
１２０…クライアント信号受信部
１２１…受信部
１２２…マッピング部
１２３…ＯＨ処理部
１３０…多重処理部
１３１…多重化部
１３２…フレーミング部
１４０…ライン側送信処理部
１４１…インタリーブ部
１４２，１４２−１，１４２−２，１４２−３，１４２−４，１４２−ｉ…ＯＨ処理部
１４３，１４３−１，１４３−２，１４３−３，１４３−４，１４３−ｉ…マルチレーン送信部
１５０…受信処理部
１６０…ライン側受信処理部
１６１−１，１６１−２，１６１−３，１６１−４，１６１−ｉ…マルチレーン受信部
１６２−１，１６２−２，１６２−３，１６２−４，１６２−ｉ…ＯＨ処理部
１６３…デインタリーブ部
１７０…分離処理部
１７１…デフレーミング部
１７２…逆多重化部
１８０…クライアント信号送信部
１８１…ＯＨ処理部
１８２…デマッピング部
１８３…送信部
２１０…ＯＤＵ−ＳＷ
２２０…送信機
２３０…受信機
３１０，３１０−１，３１０−２，３１０−３，３１０−４，３１０−ｋ，４１０，４１０−１，４１０−２，４１０−３，４１０−４，４１０−ｋ…クライアント側インターフェース部
３２０，４２０…バックプレーン部
３３０，３３０−１，３３０−２，４３０，４３０−１，４３０−２…ライン側インターフェース部
３３１，４３１…バックプレーン・インターフェース部
３３２，４３２…仮想マップ算出部
３３３，４３３，９３３…マッピング部
３３４，３３９…ライン側インターフェース接続部
３３５，４３５，９３５…送信側オーバーヘッド・ＦＥＣ処理部
３３６…送信部
３３７…受信部
３３８，４３８，９３８…受信側オーバーヘッド・ＦＥＣ処理部
３４０，４４０，９４０…デマッピング部
３４１…制御信号送信部
３４２…制御信号受信部
５１０，５２０…トリビュータリスロット
５１１，５１２，５１３，５２１…スロット領域
９３０，９３０−１，９３０−２…ライン側インターフェース部
【図１】
2016103761.tif 000003
【図２】
2016103761.tif 000004
【図３】
2016103761.tif 000005
【図４】
2016103761.tif 000006
【図５】
2016103761.tif 000007
【図６】
2016103761.tif 000008
【図７】
2016103761.tif 000009
【図８】
2016103761.tif 000010
【図９】
2016103761.tif 000011
【図１０】
2016103761.tif 000012
【図１１】
2016103761.tif 000013
【図１２】
2016103761.tif 000014